(57)【要約】【課題】  美観を壊さずに雨除けを行えると共に、雨水を植物栽培に利用できるようにした植物保護用傘を提供する。【解決手段】  傘部１１の中心には、凹部２０が形成される。傘部１１の中心には、受水カップ２１が設けられる。受水カップ２１の底面には開口３１が形成され、受水カップ２１の側面にはスリット３２が形成される。凹部２０に貯まった雨水は、開口３１を介して、支柱部１２内を伝わって落下すると共に、受水カップ２１のスリット３２を介して、支柱部１２の外側面を伝わって、落下する。支柱部１２の内部を伝わった雨水は、基盤部１３の連結部４３の孔４４から、植木鉢５１の内部の土壌５３中に浸透していく。また、支柱部１２の外側面を伝わって落下した雨水は、植木鉢５１の土壌５３の上に落下する。これにより、雨水を有効利用して、植物に水を供給することができる。【選択図】        図１
0003137155.tif 000002
【実用新案登録請求の範囲】
【請求項１】
雨水が植物に直接当たることを防ぐと共に、雨水が貯まる凹部と、前記凹部に貯まった雨水を導く受水カップとを有する傘部と、
前記傘部を保持すると共に、前記受水カップにより導かれた雨水を伝える支柱部と、
全体を支える基盤となる基盤部とを備え、
前記受水カップは、底面開口部と側面開口部とを有し、
前記凹部に貯まった雨水を前記受水カップの前記底面開口部を介して前記支柱部の内部に伝えて土壌中に浸透させると共に、前記受水カップに貯まった雨水を前記受水カップの前記側面開口部を介して前記支柱部の外側面に伝えて土壌に落下させる
ことを特徴とする植物保護用傘。
【請求項２】
前記傘部を覆うカバーは、空気を流通させる隙間を有するようにしたことを特徴とする請求項１に記載の植物保護用傘。
【請求項３】
前記受水カップの側面開口部は、複数の直線状のスリットからなることを特徴とする請求項１又は２に記載の植物保護用傘。
【請求項４】
前記受水カップの側面開口部は、螺旋状のスリットからなることを特徴とする請求項１又は２に記載の植物保護用傘。
【請求項５】
前記受水カップの側面開口部は、複数の孔からなることを特徴とする請求項１又は２に記載の植物保護用傘。
【請求項６】
前記支柱部は、前記基盤部の中心から垂設されることを特徴とする請求項１乃至５の何れかに記載の植物保護用傘。
【請求項７】
前記支柱部は、前記基盤部の周縁から垂設されることを特徴とする請求項１乃至５の何れかに記載の植物保護用傘。
【請求項８】
前記支柱部は、前記基盤部の中心から偏倚した位置から垂設されることを特徴とする請求項１乃至５の何れかに記載の植物保護用傘。
【請求項９】
前記支柱部を伸縮自在としたことを特徴とする請求項１乃至８の何れかに記載の植物保護用傘。
【考案の詳細な説明】
【技術分野】
【０００１】
本考案は、雨水が植物に直接当たることを防ぐと共に雨水を土壌に供給するようにした植物保護用傘に関する。
【背景技術】
【０００２】
鉢植えの植物を育てる場合に、雨水が直接花木に当たると、生育に障害を来たしたり、根腐れを起こしたりする場合がある。このため、従来、植木鉢にビニールシート等を被せて、雨除けを行っている。しかしながら、植木鉢にビニールシートを被せて雨除けを行う作業は、大変に手間がかかると共に、植木鉢にビニールシートを直接被せると、ビニールシートが花や木に当たり、損傷を与えてしまう場合がある。また、植木鉢にビニールシートを被せると、見栄えが悪くなり、美観を損ねる。
【０００３】
そこで、例えば、図１５（特許文献１の図１）に示されるように、通常使われている傘を小振りにして、柄の先端部分を鋭利にして、地面に突き刺すようにした花木用のパラソルが提案されている。
【特許文献１】実登３０５５８４３号公報
【考案の開示】
【考案が解決しようとする課題】
【０００４】
特許文献１に示されるパラソルを使えば、鉢植えの植物に雨水が直接当たるのを防止できる。しかしながら、図１５に示されるパラソルでは、パラソルが全体を覆うため、鉢植えの植物ばかりでなく、植木鉢の土壌にも、雨水が当たらなくなる。このため、植物を栽培するのに雨水を利用できなくなる。
【０００５】
本考案は、上述の課題を鑑み、簡単に、また、美観を壊さずに雨除けを行えると共に、雨水を植物栽培に利用できるようにした植物保護用傘を提供することを目的とする。
【課題を解決するための手段】
【０００６】
上述の課題を解決するために、本考案は、雨水が植物に直接当たることを防ぐと共に、雨水が貯まる凹部と、凹部に貯まった雨水を導く受水カップとを有する傘部と、傘部を保持すると共に、受水カップにより導かれた雨水を伝える支柱部と、全体を支える基盤となる基盤部とを備え、受水カップは、底面開口部と側面開口部とを有し、凹部に貯まった雨水を受水カップの底面開口部を介して支柱部の内部に伝えて土壌中に浸透させると共に、受水カップに貯まった雨水を受水カップの側面開口部を介して支柱部の外側面に伝えて土壌に落下させることを特徴とする植物保護用傘である。
【０００７】
好ましくは、傘部を覆うカバーは、空気を流通させる隙間を有するようにしたことを特徴とする。
【０００８】
好ましくは、受水カップの側面開口部は、複数の直線状のスリットからなることを特徴とする。また、好ましくは、受水カップの側面開口部は、螺旋状のスリットからなることを特徴とする。また、好ましくは、受水カップの側面開口部は、複数の孔からなることを特徴とする。
【０００９】
好ましくは、支柱部は、基盤部の中心から垂設されることを特徴とする。また、好ましくは、支柱部は、基盤部の周縁から垂設されることを特徴とする。また、好ましくは、支柱部は、基盤部の中心から偏倚した位置から垂設されることを特徴とする。
【００１０】
好ましくは、支柱部を伸縮自在としたことを特徴とする。
【考案の効果】
【００１１】
本考案によれば、雨水が植物に直接当たることを防ぐと共に、雨水が貯まる凹部と、凹部に貯まった雨水を導く受水カップとを有する傘部と、傘部を保持すると共に、受水カップにより導かれた雨水を伝える支柱部と、全体を支える基盤となる基盤部とを備え、受水カップは、底面開口部と側面開口部とを有し、凹部に貯まった雨水を受水カップの底面開口部を介して支柱部の内部に伝えて土壌中に浸透させると共に、受水カップに貯まった雨水を受水カップの側面開口部を介して支柱部の外側面に伝えて土壌に落下させるようにしているので、雨水が植物に直接当たることを防げると共に、雨水を有効利用して植物に水を供給することができる。
【００１２】
本考案によれば、傘部を覆うカバーは、空気を流通させる隙間を有するようにしているので、通気性を上げることができる。
【００１３】
本考案によれば、受水カップの側面開口部は、複数の直線状のスリットからなるようにしている。また、受水カップの側面開口部は、螺旋状のスリットからなるようにしている。また、受水カップの側面開口部は、複数の孔からなるようにしている。これにより、凹部に貯まった雨水を、支柱部の外側面に効率的に導くことができる。
【００１４】
本考案によれば、支柱部は、基盤部の中心から垂設される。また、支柱部は、基盤部の周縁から垂設される。また、支柱部は、基盤部の中心から偏倚した位置から垂設される。これにより、植木鉢の花木に邪魔になることなく、支柱部を立てることができる。
【００１５】
本考案によれば、支柱部を伸縮自在としている。このため、植木鉢に植えられた花木の大きさにより、支柱部の長さを変えることができる。
【考案を実施するための最良の形態】
【００１６】
第１実施形態．
以下、本考案の実施の形態について図面を参照しながら説明する。図１は、本考案の第１実施形態の植物保護用傘１を示すものである。図１に示すように、本考案の第１実施形態の植物保護用傘１は、傘部１１と、支柱部１２と、基盤部１３とから構成される。
【００１７】
傘部１１は、雨水が植物に直接当たることを防ぐと共に、雨水を集め、その雨水を地表や地中に送るものである。傘部１１は、その中心に、すり鉢状の凹部２０が生じるようにフレーム部材で骨格を形成し、このフレーム部材の外側から、ビニルや布のカバー２３を取り付けて構成される。また、傘部１１の中心には、凹部２０に貯まった雨水を導く受水カップ２１が設けられる。
【００１８】
すなわち、傘部１１の骨格は、図２（Ａ）及び図２（Ｂ）に示すように、中心の受水カップ２１の上端から斜め上方に放射状に延びるフレーム部材２５ａ〜２５ｈと、フレーム部材２５ａ〜２５ｈの端部を円環状に連結するフレーム部材２６と、フレーム部材２５ａ〜２５ｈの端部から斜め下方に放射状に延びるフレーム部材２７ａ〜２７ｈと、フレーム部材２７ａ〜２７ｈの端部を円環状に連結するフレーム部材２８とから構成される。
【００１９】
図２（Ａ）及び図２（Ｂ）に示すように、受水カップ２１、フレーム部材２５ａ〜２５ｈ、フレーム部材２６、フレーム部材２７ａ〜２７ｈ、フレーム部材２８とから骨格を組み立て、その外側から、カバー２３を取り付けて、傘部１１を構成すると、図１に示すように、その上方の中心に、すり鉢状の凹部２０が生じる。この凹部２０に、雨水が集まって貯まる。この凹部２０に貯まった雨水が受水カップ２１に導かれる。
【００２０】
受水カップ２１は、図３（Ａ）及び図３（Ｂ）に示すように、上方に向かって広がるロート状の形状となっている。受水カップ２１の底面には、開口３１が形成される。この開口３１は、凹部２０に貯まった雨水を支柱部１２の内部を介して伝えるための底面開口部として機能する。また、受水カップ２１の側面には、受水カップ２１の軸方向に、複数の直線状のスリット３２が形成される。このスリット３２は、凹部２０に貯まった雨水を支柱部１２の外側面を介して伝える側面開口部として機能する。
【００２１】
支柱部１２は、傘部１１を支持すると共に、傘部１１の凹部２０に貯まった雨水を、その内部を介して土壌中に浸透させ、また、その外側面を介して土壌の上に落下させるものである。支柱部１２は、中空のパイプから形成される。支柱部１２の上端は、傘部１１の受水カップ２１に挿通され、また、支柱部１２の下端は、基盤部１３の連結部４３に挿通される。
【００２２】
基盤部１３は、植物保護用傘１の全体を支える基盤となる。基盤部１３は、図４に示すように、中心から放射状に延設される放射部材４１ａ、４１ｂ、４１ｃと、放射部材４１ａ、４１ｂ、４１ｃの端部を円環状に連結するリング部材４２と、基盤部１３の中心から垂設された連結部４３とからなる。連結部４３は中空のパイプからなり、連結部４３には、複数の孔４４が形成されている。
【００２３】
図５は、本考案の第１実施形態の植物保護用傘１の使用方法を示すものである。図５に示すように、本考案の第１実施形態の植物保護用傘１を使用する際には、その基盤部１３を植木鉢５１内に配置し、その上から土壌５３を入れて、植物保護用傘１の基盤部１３を植木鉢５１内の土壌５３中に埋設する。植物保護用傘１の基盤部１３を植木鉢５１内の土壌５３中に埋設することで、植物保護用傘１が固定される。
【００２４】
図５において、植物保護用傘１を植木鉢５１内に固定すると、傘部１１が植木鉢５１の花木５２の上方に位置し、花木５２に雨水が直接当たることが防止できる。
【００２５】
また、傘部１１の上方の中心には、凹部２０が生じ、この凹部２０に雨水が貯まる。この凹部２０に貯まった雨水は、図３に示す受水カップ２１の底部の開口３１を介して、支柱部１２内を伝わって落下すると共に、受水カップ２１のスリット３２を介して、支柱部１２の外側面を伝わって、落下する。支柱部１２の内部を伝わった雨水は、図４に示す基盤部１３の連結部４３の孔４４から、植木鉢５１の内部の土壌５３中に浸透していく。また、支柱部１２の外側面を伝わって落下した雨水は、植木鉢５１の土壌５３の上に落下する。これにより、雨水を有効利用して、植物に水を供給することができる。
【００２６】
以上説明したように、本考案の第１実施形態の植物保護用傘１では、植木鉢５１の花木５２に直接雨水が当たることを防止できると共に、傘部１１の中心の凹部２０に雨水を集めて貯め、この凹部２０に貯まった雨水を、支柱部１２の内部を介して、植木鉢５１の内部の土壌５３中に浸透させることができると共に、支柱部１２の外側面を介して、植木鉢５１の土壌５３の上に落下させることができ、雨水を有効利用して植物に水を供給することができる。
【００２７】
また、傘部１１にデザインを施すことで、美観を上げることができる。例えば、図６及び図７に示すように、傘部１１の形状に様々なデザインを施すことで、美観を上げることができる。
【００２８】
第２実施形態．
図８は、本考案の第２実施形態を示すものである。前述の第１実施形態では、図１に示したように、傘部１１のカバー２３は１枚のビニルや布のシートとなっている。これに対して、この実施形態では、図８に示すように、傘部１１のカバーを、布片６１ａ、６１ｂ、６１ｃと、フリル片６２ａ、６２ｂとから構成されている。図８（Ａ）は傘部１１を斜め上からみた斜視図である。図８（Ｂ）は、傘部１１を側面からみた図であり、フリル片６２ａ及びフリル片６２ｂが中央部で取り除かれ、隙間６４を注目するように描いた図である。図８（Ａ）、（Ｂ）に示すように、布片６１ａと布片６１ｂとの間及び布片６１ｂと布片６１ｃとの間に隙間６４を設け、さらに、各隙間６４を覆うように、フリル片６２ａ及びフリル片６２ｂを取り付けるようにしている。
【００２９】
このようにすると、傘部１１の美観が上がると共に、フリル片６２ａ及びフリル片６２ｂの下の部分にある隙間６４から傘部１１の内部と外部間で空気が流通し、通気性が向上する。
【００３０】
また、図９に示すように、傘部１１のカバー２３に、切り込み模様６３を形成した場合にも、美観が上がると共に、通気性が良くなる。この切り込み模様の形状をどのような形状にするかは任意であり、デザイン性を考慮して種々の形状にすることができる。その他の構成については、前述の第１実施形態と同様であり、その説明は省略する。
【００３１】
第３実施形態．
図１０（Ａ）及び図１０（Ｂ）は、本考案の第３実施形態を示すものである。前述の第１実施形態では、図３（Ａ）及び図３（Ｂ）に示したように、受水カップ２１の側面に、受水カップ２１の軸方向に、複数の直線状のスリット３２を形成していたのに対して、この実施形態では、図１０（Ａ）及び図１０（Ｂ）に示すように、受水カップ２１の側面に、渦巻き状のスリット６５を形成している。この実施形態では、受水カップ２１の側面開口部を渦巻き状のスリット６５とすることで、凹部２０に貯まった雨水を、支柱部１２の外側面に効率的に導くことができる。他の構成については、前述の第１実施形態と同様であり、その説明は省略する。
【００３２】
第４実施形態．
図１１（Ａ）及び図１１（Ｂ）は、本考案の第３実施形態を示すものである。前述の第１実施形態では、図３（Ａ）及び図３（Ｂ）に示したように、受水カップ２１の側面に、受水カップ２１の軸方向に、複数の直線状のスリット３２を形成し、また、第２実施形態では、図１０（Ａ）及び図１０（Ｂ）に示したように、受水カップ２１の側面に、渦巻き状のスリット６５を形成していたのに対して、この実施形態では、受水カップ２１の側面に、複数の孔６６を形成している。この実施形態では、受水カップ２１の側面開口部を複数の孔６６とすることで、凹部２０に貯まった雨水を、支柱部１２の外側面に効率的に導くことができる。他の構成については、前述の第１実施形態と同様であり、その説明は省略する。
【００３３】
第５実施形態．
図１２は、本考案の第５実施形態を示すものである。前述の第１実施形態では、図４に示したように、基盤部１３の中心から連結部４３を垂設していたのに対して、この実施形態では、図１２に示すように、基盤部１３の周縁から連結部４３を垂設している。すなわち、この実施形態では、基盤部１３の円環状のリング部材４２から、連結部４３を垂設している。植木鉢５１に花木５２を植える場合、花木５２を植木鉢５１の中心に植えることが多い。この実施形態では、花木５２を植木鉢５１の中心に植えた場合にも、支柱部１２が邪魔にならない。他の構成については、前述の第１実施形態と同様であり、その説明は省略する。
【００３４】
第６実施形態．
図１３は、本考案の第６実施形態を示すものである。前述の第１実施形態では、図４に示したように、基盤部１３の中心から連結部４３を垂設し、また、第５実施形態では、図１２に示したように、基盤部１３の周縁から連結部４３を垂設していたのに対して、この実施形態では、図１３に示すように、基盤部１３の中心から偏倚した位置に、連結部４３を垂設している。すなわち、基盤部１３の円環状のリング部材４２から内方に突出する取付部６８を設け、この取付部６８から連結部４３を垂設している。この実施形態では、花木を植木鉢５１の中心に植えた場合にも、支柱部１２が邪魔にならない。他の構成については、前述の第１実施形態と同様であり、その説明は省略する。
【００３５】
第７実施形態．
図１４は、本考案の第７実施形態を示すものである。この実施形態では、支柱部１２の長さを変えることができる。すなわち、支柱部１２と基盤部１３の連結部４３との間は、例えば、ネジにより容易に着脱可能とされる。さらに、ネジにより容易に着脱できる延長パイプ７１が設けられる。支柱部１２と基盤部１３の連結部４３との間を直接接続すると、支柱部１２の長さは短くなる。支柱部１２と基盤部１３の連結部４３との間に、延長パイプ７１を挿入して接続すると、支柱部１２の長さは長くなる。このように、この実施形態では、植木鉢５１に植えられた花木の高さにより、支柱部１２の長さを変えることができる。なお、この例では、延長パイプ７１を挿入して支持部１２を伸縮させているが、支柱部１２を伸縮棒としてもよい。他の構成については、前述の第１実施形態と同様であり、その説明は省略する。
【００３６】
本考案は、上述した実施形態に限定されるものではなく、本考案の要旨を逸脱しない範囲内で様々な変形や応用が可能である。
【産業上の利用可能性】
【００３７】
本考案は、植木鉢やプランタ等の植えられた花木に雨水が直接当たることを防ぐと共に雨水を土壌に供給するようにした植物保護用傘として用いることができる。
【図面の簡単な説明】
【００３８】
【図１】本考案の第１実施形態の植物保護用傘の全体構成を示す斜視図である。
【図２】本考案の第１実施形態の植物保護用傘における傘部のフレームの構成を示す側面図及び平面図である。
【図３】本考案の第１実施形態の植物保護用傘における受水カップの構成を示す側面図及び底面図である。
【図４】本考案の第１実施形態の植物保護用傘における基盤部の構成を示す斜視図である。
【図５】本考案の第１実施形態の植物保護用傘の使用方法の説明に用いる斜視図である。
【図６】本考案の第１実施形態の植物保護用傘の傘部の装飾の説明に用いる斜視図である。
【図７】本考案の第１実施形態の植物保護用傘の傘部の装飾の説明に用いる斜視図である。
【図８】本考案の第２実施形態の植物保護用傘の説明に用いる斜視図である。
【図９】本考案の第２実施形態の植物保護用傘の説明に用いる斜視図である。
【図１０】本考案の第３実施形態の植物保護用傘における受水カップの構成を示す側面図及び底面図である。
【図１１】本考案の第４実施形態の植物保護用傘における受水カップの構成を示す側面図及び底面図である。
【図１２】本考案の第５実施形態の植物保護用傘における基盤部の構成を示す斜視図である。
【図１３】本考案の第６実施形態の植物保護用傘における基盤部の構成を示す斜視図である。
【図１４】本考案の第７実施形態の植物保護用傘における支柱部の説明に用いる斜視図である。
【図１５】従来の植物保護用傘を説明するための図である。
【符号の説明】
【００３９】
１  植物保護用傘
１１  傘部
１２  支柱部
１３  基盤部
２０  凹部
２１  受水カップ
２３  カバー
２５ａ〜２５ｈ、２６、２７ａ〜２７ｈ、２８  フレーム部材
３１  開口
３２  直線状のスリット
４１ａ〜４１ｃ  放射部材
４２  リング部材
４３  連結部
４４  孔
５１  植木鉢
５２  花木
５３  土壌
６１ａ〜６１ｃ  布片
６２ａ、６２ｂ  フリル片
６３  切り込み模様
６４  隙間
６５  渦巻き状のスリット
６６  孔
６８  取付部
７１  延長パイプ
【図１】
0003137155.tif 000003
【図２】
0003137155.tif 000004
【図３】
0003137155.tif 000005
【図４】
0003137155.tif 000006
【図５】
0003137155.tif 000007
【図６】
0003137155.tif 000008
【図７】
0003137155.tif 000009
【図８】
0003137155.tif 000010
【図９】
0003137155.tif 000011
【図１０】
0003137155.tif 000012
【図１１】
0003137155.tif 000013
【図１２】
0003137155.tif 000014
【図１３】
0003137155.tif 000015
【図１４】
0003137155.tif 000016
【図１５】
0003137155.tif 000017